(57)【要約】【課題】配布に対するクレーム等対応の自由度や配布物のデザイン作成の自由度を維持しつつ、配布物に表示された連絡先へのクレーム等を減少させることができる貼付シートを提供すること。【解決手段】配布物に貼付される貼付シート１であって、シート状のシート本体部２を備え、前記シート本体部２は、前記シート本体部２の表面２ａに設けられ、かつ前記配布物を受け取った受取人が連絡するための連絡先情報が表示された連絡先情報表示エリア部３と、前記シート本体部２の表面２ａ又は裏面２ｂに設けられ、かつ前記配布物に貼付される貼付部とを備える。【選択図】図１
0003194188.tif 000002
【実用新案登録請求の範囲】
【請求項１】
配布物に貼付される貼付シートであって、
シート状のシート本体部を備え、
前記シート本体部は、
前記シート本体部の表面に設けられ、かつ前記配布物を受け取った受取人が連絡するための連絡先情報が表示された連絡先情報表示エリア部と、
前記シート本体部の表面又は裏面に設けられ、かつ前記配布物に貼付される貼付部と
を備える貼付シート。
【請求項２】
前記シート本体部の表面に、前記配布物を配布する先の宛名情報が表示された宛名情報表示エリア部が設けられている請求項１記載の貼付シート。
【請求項３】
前記シート本体部の表面又は裏面に、ワールドワイドウェブ上のサイトにアクセスするためのＵＲＬ情報が表示されたＵＲＬ情報表示エリア部が設けられている請求項１又は請求項２に記載の貼付シート。
【請求項４】
前記貼付部が、前記配布物に着脱可能に貼付されるように構成されている請求項１から請求項３のいずれか一項に記載の貼付シート。
【請求項５】
前記シート本体部の長さ寸法が、前記シート本体部の幅寸法より大きくなっており、
前記貼付部が、前記シート本体部の長さ方向の一部に設けられている請求項１から請求項４のいずれか一項に記載の貼付シート。
【請求項６】
前記貼付部が、前記シート本体部の長さ方向の一端部に設けられており、
前記一端部が、前記長さ寸法の１／３以内のエリアに設定されている請求項５に記載の貼付シート。
【請求項７】
前記シート本体部が長方形状に形成されている請求項６に記載の貼付シート。
【請求項８】
前記貼付部が、前記シート本体部の上端部に設けられている請求項６又は請求項７に記載の貼付シート。
【考案の詳細な説明】
【技術分野】
【０００１】
本考案は、配布物に貼付される貼付シートに関する。
【背景技術】
【０００２】
従来、ポスティングなどにより家庭やオフィスに配布物を配布することが行われている（例えば、特許文献１参照）。
配布物には、例えば広告主等によって印刷された商品やサービスの広告や広告主の連絡先等が掲載されているのが一般的である。
一方、これら配布物が家庭やオフィスに配布されると、当該配布物を受け取った受取人が、気分を害してクレーム行動を起こす場合がある。クレーム行動としては、配布物に掲載された連絡先に連絡してクレームを伝えることが多い。また、クレームだけでなく、受取人が配布に関して問い合わせすることもある。
【先行技術文献】
【特許文献】
【０００３】
【特許文献１】特開２０１０−１２９０１５号公報
【考案の概要】
【考案が解決しようとする課題】
【０００４】
しかしながら、配布物に掲載された連絡先は、例えば商品やサービスを受けるためのものであり、受取人からのクレームや配布に対する問い合わせ（以下、「クレーム等」という。）に対応するためのものではないことが一般的である。そのため、配布物に掲載された連絡先に受取人からのクレーム等が直接行くと、広告主にとって業務効率が低下してしまうという問題がある。
そこで、商品やサービスを受けるための連絡先とともに、配布に対するクレーム等連絡先を併せて表示しておくことが考えられる。
しかしながら、クレーム等連絡先を併せて表示しておくと、クレーム等対応先をあらかじめ決めておかなければならないだけでなく、配布物の所定のエリアを占有するため、配布物に対するデザイン上の制約が生じてしまうという問題がある。
【０００５】
本考案は、このような問題を解決するためになされたものであり、配布に対するクレーム等対応の自由度や配布物のデザイン作成の自由度を維持しつつ、配布物に表示された連絡先へのクレーム等を減少させることができる貼付シートを提供することを目的とする。
【課題を解決するための手段】
【０００６】
上記課題を解決するために、本考案は以下の手段を提供する。
本考案は、配布物に貼付される貼付シートであって、シート状のシート本体部を備え、前記シート本体部は、前記シート本体部の表面に設けられ、かつ前記配布物を受け取った受取人が連絡するための連絡先情報が表示された連絡先情報表示エリア部と、前記シート本体部の表面又は裏面に設けられ、かつ前記配布物に貼付される貼付部とを備える。
【０００７】
この考案によれば、配布に対するクレーム等対応の自由度や配布物のデザイン作成の自由度を維持しつつ、配布物に表示された連絡先へのクレーム等を減少させることができる。
【０００８】
また、本考案は、前記シート本体部の表面に、前記配布物を配布する先の宛名情報が表示された宛名情報表示エリア部が設けられている。
【０００９】
この考案によれば、受取人に対する注意をより喚起することができる。
【００１０】
また、本考案は、前記シート本体部の表面又は裏面に、ワールドワイドウェブ上のサイトにアクセスするためのＵＲＬ情報が表示されたＵＲＬ情報表示エリア部が設けられている。
【００１１】
この考案によれば、受取人に対して、特定のサイトに容易にアクセスさせることができる。
【００１２】
また、本考案は、前記貼付部が、前記配布物に着脱可能に貼付されるように構成されている。
【００１３】
この考案によれば、配布物に対するシート本体部の貼付位置の調整を作業者等に行い易くさせることができるだけでなく、シート本体部を剥がすことによって受取人等に配布物を容易に見易くさせることができる。
【００１４】
また、本考案は、前記シート本体部の長さ寸法が、前記シート本体部の幅寸法より大きくなっており、前記貼付部が、前記シート本体部の長さ方向の一部に設けられている。
【００１５】
この考案によれば、シート本体部のうち貼付部以外の箇所を容易に把持することにより、シート本体部の取り扱いを容易にすることができ、シート本体部を配布物に貼付し易くすることができる。
【００１６】
また、本考案は、前記貼付部が、前記シート本体部の長さ方向の一端部に設けられており、前記一端部が、前記長さ寸法の１／３以内のエリアに設定されている。
【００１７】
この考案によれば、シート本体部の下端部を把持し易くすることができるだけでなく、当該下端部を手前側に湾曲させ易くすることができる。
【００１８】
また、本考案は、前記シート本体部が長方形状に形成されている。
【００１９】
この考案によれば、４つの頂点部を介して、シート本体部を剥がし易くすることができるだけでなく、縁が直線上になることから、円形状などと比較して、把持する面積を増やすことができ、指先でも把持し易くすることができる。
【００２０】
また、本考案は、前記貼付部が、前記シート本体部の上端部に設けられている。
【００２１】
この考案によれば、シート本体部の上下方向と配布物の上下方向とを合わせて貼付したときに、シート本体部の上方を貼付することができ、シート本体部を落下しにくくすることができる。
【考案の効果】
【００２２】
本考案によれば、配布に対するクレーム等対応の自由度や配布物のデザイン作成の自由度を維持しつつ、配布物に表示された連絡先へのクレーム等を減少させることができる。
【図面の簡単な説明】
【００２３】
【図１】本実施形態に係る貼付シートを示す平面図である。
【図２】図１に示す貼付シートを裏面から示す背面図である。
【図３】図１に示す貼付シートを配布物に貼付した様子を示す平面図である。
【図４】図３に示す貼付シート及び配布物を側面から模式的に示す説明図である。
【図５】図３に示す貼付シート及び配布物を斜めから模式的に示す説明図である。
【考案を実施するための形態】
【００２４】
（実施形態）
以下、本考案の実施形態における貼付シートについて、図面を参照して説明する。
図１は、本実施形態における貼付シートを示す平面図である。
貼付シート１は、シート状に形成されたシート本体部２を備えている。
なお、符号Ｈは、シート本体部２の長さ方向（長手方向、高さ方向）を示すものであり、符号Ｗは、シート本体部２の幅方向（短手方向）を示すものである。
シート本体部２は、矩形状に形成されており、例えば、紙、樹脂又は金属なとの材料からなるものである。
シート本体部２の表面２ａのうち、長さ方向Ｈの上端部２Ｕには、宛名情報表示エリア部４が設けられている。
【００２５】
宛名情報表示エリア部４には、宛名情報が表示されている。宛名情報とは、後述する配布物１０（図３に示す）を配布する先の情報であり、配布物１０を受け取る先の情報である。ここでは、宛名情報として、「お住まいの皆様へ。」と表示されている。
なお、宛名情報表示エリア部４への宛名情報の表示手段としては、印刷、貼付、刻印又は画像表示など適宜変更可能である。
また、シート本体部２の長さ寸法ｈ１は、幅寸法ｗ１よりも大きくなっている。すなわち、シート本体部２は、長さ方向Ｈに延びる長方形状に形成されている。
【００２６】
表面２ａの下端部２Ｄには、連絡先情報表示エリア部３が設けられている。連絡先情報とは、配布物１０を受け取った受取人がクレーム等のために連絡する連絡先となるものであり、例えば、ポスティングによる配布業者の電話番号などを含むものである。ここでは、「差出人：メディア便（登録商標）」、「配達に関するお問い合わせは」、「○○−○○○○−○○○○（電話番号）」及び「土日祝日除く１０：００〜１８：００迄」と表示されている。なお、「メディア便（登録商標）」とは、ポスティングによる配布業者のサービス名称であり、差出人として特定の配布業者を識別するためのものである。
なお、連絡先情報表示エリア部３への連絡先情報の表示手段としては、印刷、貼付、刻印又は画像表示など適宜変更可能である。
【００２７】
さらに、宛名情報表示エリア部４の下方近傍には、「メディア便（登録商標）」が表示されている。そして、そのさらに下方近傍であって、シート本体部２の長さ方向Ｈの中央部には、手紙・メールを意味する図形が表示されている。
【００２８】
また、図２に示すように、シート本体部２の裏面２ｂのうち、上端部２Ｕには、貼付部５が設けられている。
貼付部５は、糊からなっている。貼付部５は、シート本体部２を配布物１０に貼付するためのものである。この糊は、張って剥がせる材料が使用されている。すなわち、貼付部５は、配布物１０に着脱可能に貼付されるように構成されている。そのため、シート本体部２は、貼付部５を介して、配布物１０に着脱可能に貼付されるようになっている。
【００２９】
なお、上端部２Ｕとは、シート本体部２の長さ方向Ｈの一端部であって、表面２ａに表示された文字や図形などが自然に読めるようにシート本体部２が配されたときの上方の端部に相当するものである。上端部２Ｕは、長さ方向Ｈの全長である長さ寸法ｈ１の１／３以内に設定されている。すなわち、貼付部５は、裏面２ｂの上端縁から、長さ方向Ｈに向けて長さ寸法ｈ１の１／３の近傍まで延ばされている。
具体的には、長さ寸法ｈ１は、４９ｍｍに設定されており、幅寸法ｗ１は、３４ｍｍに設定されている。貼付部５は、裏面２ｂの上端縁から、１４ｍｍ（長さ寸法ｈ１（４９ｍｍ）の１／３の近傍）まで延ばされている。
貼付部５の範囲としては、長さ寸法ｈ１の１／２５〜１／３内に設けることができる。例えば、長さ寸法ｈ１が４９ｍｍであれば、約２ｍｍ（４９ｍｍの１／２５）〜１６ｍｍ（４９ｍｍの１／３）とすることができる。
一方、下端部２Ｄとは、シート本体部２の長さ方向Ｈの他端部であって、表面２ａに表示された文字や図形などが自然に読めるようにシート本体部２が配されたときの下方の端部に相当するものである。
【００３０】
また、裏面２ｂの下端部２Ｄから中央部にわたって、ＵＲＬ情報表示エリア部６が設けられている。ＵＲＬ情報表示エリア部６には、ＵＲＬ情報が表示されている。ＵＲＬ情報とは、ＷＷＷ（ワールドワイドウェブ）上のサイトにアクセスするためのＵＲＬ等を意味している。ここでは、ＵＲＬ情報として、当該ＵＲＬ情報を含むＱＲコード（登録商標）が表示されている。
このＱＲコード（登録商標）を受取人が端末によって読み込むことにより、特定のサイトにアクセスし、各種ポイントや景品を獲得することができるようになっている。
【００３１】
次いで、本実施形態における貼付シート１の利用方法について説明する。
作業者は、格子状に複数連続して配列されたシート本体部２をカッターによって縦横にカットしていき、長方形状の複数のシート本体部２が作られる。なお、連絡先情報表示エリア部３、宛名情報表示エリア部４及びＵＲＬ情報表示エリア部６などは、それぞれのシート本体部２にあらかじめ印刷されている。
さらに、作業者は、裏面２ｂの上端部２Ｕに糊付けする。この糊付け部分が貼付部５となる。
これにより、貼付シート１が作成される。
【００３２】
なお、図３に示すように、配布物１０の表面には、商品の広告が表示された商品広告表示エリア部１０ａが全面にわたって設けられている。また、配布物１０の右上には、広告主の連絡先（例えば、電話番号、社名、ＵＲＬなど）が表示された広告主連絡先表示エリア部１０ｂが設けられている。
作業者は、配布物１０の例えば左隅に貼付シート１を貼付する。つまり、作業者は、貼付部５を配布物１０の表面に配して、シート本体部２の表面２ａの上端部２Ｕを指で押圧する。これにより、貼付部５を介して、シート本体部２が配布物１０に対して着脱可能に貼付される。
このとき、貼付部５が上端部２Ｕに設けられていることから、図４及び図５に示すように、下端部２Ｄを手前側に引くことにより、下端部２Ｄを手前側に湾曲させて反り返させる。
そして、他の配布物１０に対しても、同様にして、他の貼付シート１が着脱可能に貼付されていく。
【００３３】
それから、貼付シート１が貼付された配布物１０を、配布者が、各家庭や各オフィスなどに配布していく。
そして、この配布物１０を受け取った受取人は、広告主連絡先表示エリア部１０ｂに表示された広告主の連絡先を見て、商品広告表示エリア部１０ａに表示された商品について広告主に問い合わせる。
ここで、配布物１０を受け取った受取人の中には、頼んでいない配布物１０が配布されて来たことに対してクレームを言おうとする人がいる。
そのような受取人は、配布物１０を見ると、その表面に貼付されている貼付シート１に目をやる。そして、受取人は、連絡先情報表示エリア部３の電話番号を見て電話をかける。連絡先情報表示エリア部３に表示された電話番号は、ポスティングによる配布業者の電話番号であるので、受取人からの電話は、当該配布業者に繋がることになる。すなわち、広告主連絡先表示エリア部１０ｂに表示された連絡先とは異なる連絡先に繋がる。
【００３４】
なお、配布業者は、連絡先情報表示エリア部３に表示された電話番号に対して、あらかじめ各種設定をすることができる。例えば、受取人からの電話の電話番号などによっては、「お客様の電話は・・・のため、お繋ぎできません」などと自動的にアナウンスして回線を切断することができる。また、「なお、応対品質向上のため、この通話は録音させて頂いております」などとアナウンスして、オペレータに繋ぐようにすることもできる。
【００３５】
また、受取人は、貼付シート１を配布物１０から剥がして、シート本体部２の裏面２ｂのＵＲＬ情報表示エリア部６に表示されたＵＲＬ情報を見る。そして、受取人は、携帯端末などによって、当該ＵＲＬ情報を読み取り、指定のサイトにアクセスする。これにより、指定のサイトにおける受取人のアカウントにポイントが付加される。
【００３６】
以上より、本実施形態における貼付シート１によれば、配布物１０に対して貼付するだけで、連絡先情報表示エリア部３に表示された連絡先に、受取人からのクレーム等を行かせるようにすることができる。すなわち、配布物１０に表示された連絡先とは別の連絡先に、受取人からのクレーム等を集めることができる。また、出来上がった配布物１０に対して、その表面のどこにでも、後から貼付することができる。すなわち、配布物１０を作成する段階で、配布に対するクレーム等の対応を検討したり、当該クレーム等対応の連絡先表示をデザインしたりすることを不要にすることができる。
したがって、貼付シート１によれば、配布に対するクレーム等対応の自由度や配布物１０のデザイン作成の自由度を維持しつつ、配布物１０に表示された連絡先へのクレーム等を減少させることができる。
【００３７】
また、配布物１０に対して後から貼付するものであるため、配布物１０に直接印刷するよりも目立たせることができ、受取人の貼付シート１に対する認識力を向上させることができる。
また、宛名情報表示エリア部４が設けられていることから、受取人に対する注意をより喚起することができる。
また、ＵＲＬ情報表示エリア部６が設けられていることから、受取人に対して、特定のサイトに容易にアクセスさせることができる。また、当該アクセスを介して各種ポイントや景品を付与することにより、これら各種ポイントや景品の獲得を誘因として、特定のサイトに誘導し易くすることができる。
また、貼付部５が着脱可能に貼付されるようになっていることから、配布物１０に対するシート本体部２の貼付位置の調整を作業者等に行い易くさせることができるだけでなく、シート本体部２を剥がすことによって受取人等に配布物１０を容易に見易くさせることができる。
【００３８】
また、貼付部５が長さ方向Ｈの一部に設けられていることから、シート本体部２のうち貼付部５以外の箇所を容易に把持することにより、シート本体部２の取り扱いを容易にすることができ、シート本体部２を配布物１０に貼付し易くすることができる。
また、長さ寸法ｈ１の１／３以内のエリアである上端部２Ｕに貼付部５が設けられていることから、シート本体部２をさらに把持し易くすることができるだけでなく、下端部２Ｄを手前側に湾曲させ易くすることができる。すなわち、図４及び図５に示すように、シート本体部２の上端部２Ｕを貼付した状態で、下端部２Ｄを手前側に引くだけで、下端部２Ｄを手前側に湾曲させることができる。そのため、シート本体部２が配布物１０に対して立体的に飛び出すように配され、受取人の貼付シート１に対する認識力をより向上させることができるだけでなく、上端部２Ｕが貼付された状態でも下端部２Ｄを把持することにより、貼付シート１を剥がし易くすることができる。
また、シート本体部２が長方形状に形成されていることから、４つの頂点部を介して、シート本体部２を剥がし易くすることができるだけでなく、縁が直線上になることから、円形状などと比較して、把持する面積を増やすことができ、指先でも把持し易くすることができる。
【００３９】
また、貼付部５が上端部２Ｕに設けられていることから、シート本体部２の上下方向と配布物１０の上下方向とを合わせて貼付したときに、シート本体部２の上方を貼付することができ、シート本体部２を落下しにくくすることができる。
【００４０】
なお、本考案の技術範囲は上記の実施形態に限定されるものではなく、本考案の趣旨を逸脱しない範囲において、位置、形状又は寸法など種々の変更を加えることが可能である。
例えば、連絡先情報として、電話番号が表示されているとしたが、これに限ることはなく、適宜変更可能である。例えば、氏名、名称、住所、ＦＡＸ番号又はＵＲＬなどであってもよい。
また、宛名情報として、「お住まいの皆様へ」と表示するとしたが、これに限ることはなく、適宜変更可能である。例えば、配布先の氏名、名称、建物名、部屋番号、地名又はグループ名などであってもよい。
また、ＵＲＬ情報として、ＱＲコード（登録商標）を表示したが、これに限ることはなく、適宜変更可能である。例えば、ＱＲコード（登録商標）以外の他の２次元コードや１次元コードでもよい。また、アルファベットや数字などの文字であってもよい。
また、貼付部５が、糊からなるとしたが、これに限ることはなく、適宜変更可能である。例えば、接着剤、接着テープ、ピン又はクリップなどでもよい。
【００４１】
また、シート本体部２が紙、樹脂又は金属なとの材料からなるとしたが、これに限ることはなく、材料は適宜変更可能である。
また、連絡先情報表示エリア部３、宛名情報表示エリア部４、ＵＲＬ情報表示エリア部
６、貼付部５や各種文字や図形の配置は、適宜変更可能である。例えば、連絡先情報表示エリア部３を表面２ａの中央部や上端部２Ｕに設けたり、貼付部５又はＵＲＬ情報表示エリア部６を表面２ａに設けたりしてもよい。
また、貼付シート１の製造方法は適宜変更可能である。例えば、シート本体部２に貼付部５を設けた後にカットしてもよい。
また、連絡先情報表示エリア部３に表示された連絡先を見て、受取人がクレーム行動を起こすとしているが、これに限ることはなく、配布に関するお問い合わせなどであってもよい。
【００４２】
また、宛名情報表示エリア部４を設けるとしたが、これに限ることはなく、宛名情報表示エリア部４を設けなくてもよい。
また、ＵＲＬ情報表示エリア部６を設けるとしたが、これに限ることはなく、ＵＲＬ情報表示エリア部６を設けなくてもよい。
また、貼付部５は、配布物１０に対して着脱可能であるとしたが、これに限ることはなく、剥がれないように固定するように構成されていてもよい。
また、貼付部５が長さ方向Ｈの一部に設けられるとしたが、これに限ることはなく、設置位置は適宜変更可能である。例えば、貼付部５が、シート本体部２の全面、下端部２Ｄ又は中央部などに設けられていてもよい。
【００４３】
また、貼付部５が、長さ寸法ｈ１の１／３のエリアに設けられるとしたが、これに限ることはなく、１／４、１／５又は１／６などのエリアに設けられていてもよい。
また、シート本体部２が長方形状に形成されているとしたが、これに限ることはなく、適宜変更可能である。例えば、三角形、五角形又は六角形などの多角形や、円、楕円、半円、星形、動植物の形状、物品の形状などでもよい。
【符号の説明】
【００４４】
１    貼付シート
２    シート本体部
２ａ  表面
２ｂ  裏面
２Ｕ  上端部（一端部）
３    連絡先情報表示エリア部
４    宛名情報表示エリア部
５    貼付部
６    ＵＲＬ情報表示エリア部
１０  配布物
Ｈ    長さ方向
ｈ１  長さ寸法
ｗ１  幅寸法
【図１】
0003194188.tif 000003
【図２】
0003194188.tif 000004
【図３】
0003194188.tif 000005
【図４】
0003194188.tif 000006
【図５】
0003194188.tif 000007